(57)【要約】      （修正有）【課題】様々な状況に応じて室内の空気を換気することができる技術を提供する。【解決手段】換気システム１は、室内に配置されているガスコンロ２０と、室内に配置されており、室内の空気を換気するレンジフード３０と、室内に配置されており、ガスコンロ２０から離れた位置で室内の空気質を検知するセンサ４０と、コントローラー５０を備えている。コントローラー５０は、ガスコンロ２０の動作状況とセンサ４０が検知した空気質に基づいてレンジフード３０の運転を制御する。【選択図】図２
2017067389.tif 000002
【特許請求の範囲】
【請求項１】
室内に配置されている調理器と、
前記室内に配置されており、前記室内の空気を換気する換気手段と、
前記室内に配置されており、前記調理器から離れた位置で前記室内の空気質を検知する検知手段と、
制御手段を備えており、
前記制御手段は、前記調理器の動作状況と前記検知手段が検知した空気質に基づいて前記換気手段の運転を制御する、換気システム。
【請求項２】
前記換気手段は、前記調理器の動作状況に応じた風量または前記検知手段が検知した空気質に応じた風量で前記室内の空気を換気可能に構成されており、
前記制御手段は、前記室内の空気が前記２つの風量のうち強い方の風量で換気されるように前記換気手段の運転を制御する、請求項１に記載の換気システム。
【請求項３】
前記制御手段と前記検知手段とが前記調理器から離れた位置に配置されている警報器に設けられている、請求項１又は２に記載の換気システム。
【請求項４】
ユーザーが風量を設定するための設定手段を備えており、
前記設定手段で風量が設定された場合に、前記設定手段で設定された風量で前記室内の空気が換気されるように前記換気手段が動作する、請求項１から３のいずれかに記載の換気システム。
【請求項５】
前記設定手段で風量が設定された場合に、前記検知手段が検知した空気質に関わらず、前記設定手段で設定された風量または前記調理器の動作状況に応じた風量で前記室内の空気が換気されるように前記換気手段が動作する、請求項４に記載の換気システム。
【請求項６】
前記制御手段は、前記検知手段が空気質の異常を検知した場合に、前記調理器が所定の動作をするように前記調理器の運転を制御する、請求項１から５のいずれかに記載の換気システム。
【発明の詳細な説明】
【技術分野】
【０００１】
本明細書に開示する技術は、換気システムに関する。
【背景技術】
【０００２】
特許文献１に開示されている換気システムは、室内に配置されている調理器と、調理器の上方に配置されており、室内の空気を換気する換気手段と、制御手段を備えている。制御手段は、調理器の動作状況に応じて換気手段の運転を制御する。
【先行技術文献】
【特許文献】
【０００３】
【特許文献１】特開２００３−２０７１８０号公報
【発明の概要】
【発明が解決しようとする課題】
【０００４】
特許文献１に開示されている換気システムによれば、調理器の動作状況に応じて室内の空気を換気することができるが、調理中の調理臭に対してや、調理器が動作していない状況では、室内の空気を換気することができない。例えば、室内に配置されているゴミ箱の中のゴミから臭気が発生したり、室内の他の燃焼装置の動作による燃焼排ガスが増加した場合に、特許文献１の換気システムでは室内の空気を換気することができない。そこで本明細書は、様々な状況に応じて室内の空気を換気することができる技術を提供する。
【課題を解決するための手段】
【０００５】
本明細書に開示する換気システムは、室内に配置されている調理器と、室内に配置されており、室内の空気を換気する換気手段と、室内に配置されており、調理器から離れた位置で室内の空気質を検知する検知手段と、制御手段を備えている。制御手段は、調理器の動作状況と検知手段が検知した空気質に基づいて換気手段の運転を制御する。
【０００６】
このような構成によれば、制御手段が調理器の動作状況に基づいて換気手段の運転を制御するので、調理器の動作状況に応じて室内の空気を換気することができる。また、検知手段が検知した空気質に基づいて制御手段が換気手段の運転を制御するので、調理中に調理臭が発生した場合や、調理器が動作していない状況であっても、室内の空気質に基づいて室内の空気を換気することができる。例えば、室内に配置されているゴミ箱の中のゴミや調理済の料理から臭気が発生したり、室内に配置されている他の燃焼装置の燃焼排ガスが増加した場合に、検知手段が検知した空気質に基づいて制御手段が換気手段の運転を制御して室内の空気を換気する。したがって、上記の構成によれば、様々な状況に応じて室内の空気を換気することができる。
【０００７】
上記の換気システムでは、換気手段が、調理器の動作状況に応じた風量または検知手段が検知した空気質に応じた風量で室内の空気を換気可能に構成されていてもよい。また、制御手段が、室内の空気が前記２つの風量のうち強い方の風量で換気されるように換気手段の運転を制御してもよい。
【０００８】
このような構成によれば、例えば、調理器の動作状況に応じた風量が強くて、検知手段が検知した空気質に応じた風量が弱い場合、調理器の動作状況に応じた風量で室内の空気を換気する。これによって、調理器の動作状況が強い風量を要求している場合に、それに応じた風量で換気することができるので室内を確実に換気することができる。一方、調理器の動作状況に応じた風量が弱くて、検知手段が検知した空気質に応じた風量が強い場合、検知手段が検知した空気質に応じた風量で室内の空気を換気する。これによって、検知手段が検知した空気質が強い風量を要求している場合に、それに応じた風量で換気することができるので室内を確実に換気することができる。
【０００９】
また、制御手段と検知手段とが調理器から離れた位置に配置されている警報器に設けられていてもよい。
【００１０】
換気システムにおいて制御手段と検知手段は、他の構成と比べて繊細な構成になることがある。また、ユーザーが調理器で調理をするときに例えば熱、水分および油分等が発生することがある。この場合、制御手段と検知手段が繊細な構成なので、熱、水分および油分等の影響を受けやすい。上記の構成によれば、制御手段と検知手段とが調理器から離れた位置に配置されている警報器に設けられているので、調理器に起因する制御手段と検知手段に対する影響（例えば熱、水分および油分等の影響）を軽減することができる。また、例えばガスや火災の警報器は定期的（例えば５年ごと）に交換することが必要であるので、制御手段と検知手段も同時に交換されることになり、制御手段と検知手段の動作の信頼性を向上させることができる。
【００１１】
また、上記の各換気システムは、ユーザーが風量を設定するための設定手段を備えていてもよい。設定手段で風量が設定された場合に、設定手段で設定された風量で室内の空気が換気されるように換気手段が動作してもよい。
【００１２】
このような構成によれば、ユーザーが設定した風量で室内の空気が換気されるので、ユーザーの好みに適した状態で室内の空気を換気することができる。
【００１３】
また、設定手段で風量が設定された場合に、検知手段が検知した空気質に関わらず、設定手段で設定された風量または調理器の動作状況に応じた風量で室内の空気が換気されるように換気手段が動作してもよい。
【００１４】
ユーザーが風量を設定するための設定手段で設定された風量は、ユーザーの意思に基づいた風量である。また、調理器の動作状況はユーザーによって調節されるので、基本的に動作状況に応じた風量はユーザーの意思に基づいた風量となる。一方、ユーザーが調理器を使用していたことを忘れていた場合などには、調理器はユーザーが意図しない動作となる場合があり、ユーザーの安全性が確保できない場合がある。上記の構成によればユーザーの意思に基づいた風量での室内の換気に加え、調理器の動作状況に応じた風量での室内の換気がされるので、ユーザーの意思に基づいた風量としつつ、ユーザーの安全性を確保することができる。また、ユーザーの意思にかかわらずに換気手段の風量が変化することがないので、換気手段の風量が変化したときに風量変化の要因をユーザーが正確に認識することができる。
【００１５】
また、制御手段は、検知手段が空気質の異常を検知した場合に、調理器が所定の動作をするように調理器の運転を制御してもよい。
【００１６】
このような構成によれば、室内の空気質が異常な状態になった場合に、調理器の運転を制御することによって、室内の空気質がさらに異常な状態になることを抑制できる。
【図面の簡単な説明】
【００１７】
【図１】実施例に係る換気システムが設置されている室の立面図である。
【図２】実施例に係る換気システムのブロック図である。
【図３】第１実施例に係る換気システムの動作を説明するための図である。
【図４】第２実施例に係る換気システムの動作を説明するための図である。
【図５】第３実施例に係る換気システムの動作を説明するための図である。
【発明を実施するための形態】
【００１８】
図１に示すように、実施例に係る換気システム１は、ガスコンロ２０と、レンジフード３０と、センサ４０と、警報器７０と、リモコン６０と、コントローラー５０を備えている。換気システム１は、例えば、マンションや戸建における室９に設置される。
【００１９】
室９の内部領域である室内９０は、キッチン領域９１と、キッチン領域９１の外部にあるダイニング領域９２に分けられる。キッチン領域９１では、ユーザーが調理を行うことができる。ダイニング領域９２では、ユーザーが食事を行うことができる。
【００２０】
ガスコンロ２０は、キッチン領域９１に配置されている。ガスコンロ２０は、ガスを燃焼させた火力を利用してユーザーが調理を行うための機器である。ユーザーが調理を行うとガスコンロ２０の周囲に熱、水分および油分等が生じる。
【００２１】
ガスコンロ２０は、バーナー２１と、バーナー２１の点火または消火をするためのスイッチ２２と、バーナー２１の火力を調節するための調節部２３を備えている。ガスコンロ２０の動作状況は調節可能である。具体的には、ガスコンロ２０は、バーナー２１の火力を多段階で調節できるように構成されている。例えば、バーナー２１の火力を「消火」、「弱」、「中」、「強」の４段階で調節することができる。ユーザーがスイッチ２２を入れるとバーナー２１が点火し、スイッチ２２を切るとバーナー２１が消火する。また、ユーザーが調節部２３を操作するとバーナー２１の火力を調節することができる。
【００２２】
レンジフード３０は、キッチン領域９１に配置されている。レンジフード３０は、ガスコンロ２０の上方に配置されており、ガスコンロ２０と対向している。
【００２３】
レンジフード３０は、ファン３１とカバー３２を備えている。レンジフード３０は、ファン３１が回転することによって室内９０の空気を換気する。カバー３２はファン３１を覆っている。レンジフード３０は、ファン３１の回転速度を多段階で調節することによって、室内９０の空気を換気する風量を多段階で調節できるように構成されている。例えば、換気の風量を「０（停止）」、「弱」、「中」、「強」の４段階で調節することができる。レンジフード３０は、風量が「０（停止）」である場合は動作しない。レンジフード３０が停止するときは、タイマー機能によって所定の時間にわたって動作した後に停止する。
【００２４】
センサ４０は、キッチン領域９１に配置されている。センサ４０は、室内９０の空気質を継続的に検知している。センサ４０は、ガスコンロ２０から離れた位置に配置されている。また、センサ４０は、後述する警報器７０の筐体内に設けられている。
【００２５】
室内９０の空気質は、例えば、室内９０の空気の温度、湿度、臭気、室内９０に配置された燃焼式器具の燃焼排ガス、未燃ガス等によって変化する。例えば、室内９０に配置されているゴミ箱の中のゴミや調理中の料理から臭気が発生したり、ガスコンロ２０や室内９０に配置されている燃焼式暖房機の燃焼排ガスが増加した場合には室内９０の空気質が悪化する。センサ４０は、検知した室内９０の空気質を所定の基準に照らしてランク分けすることができる。例えば、センサ４０は、室内９０の空気質を「正常」、「やや悪い」、「悪い」、「とても悪い」の４つにランク分けすることができる。例えば、室内９０の空気の温度が２５℃であり、湿度が５０％であり、臭気が発生していない場合は、室内９０の空気質は「正常」のランクに該当する。また、例えば、室内９０の空気質が悪化した場合は、悪化の程度に応じて、室内９０の空気質が「やや悪い」、「悪い」、「とても悪い」のいずれかのランクに該当する。
【００２６】
警報器７０は、キッチン領域９１に配置されている。警報器７０は、ガスコンロ２０から離れた位置に配置されている。警報器７０は、室内９０の空気質に異常がある場合にその異常を周囲に知らせるブザー、スピーカー、ランプ等の報知手段８０を備えている。
【００２７】
リモコン６０は、レンジフード３０の風量を設定可能に構成されている。ユーザーがリモコン６０を操作することによって、レンジフード３０の風量を「０（停止）」、「弱」、「中」、「強」の４段階で設定することができる。リモコン６０は、レンジフード３０と無線通信可能に構成されている。無線通信としては、例えばＢｌｕｅｔｏｏｔｈ（登録商標）による通信や、赤外線による通信等を用いることができる。
【００２８】
コントローラー５０は、キッチン領域９１に配置されている。コントローラー５０は、ガスコンロ２０から離れた位置に配置されている。コントローラー５０は、センサ４０と同様に警報器７０の筐体内に配置されている。コントローラー５０とセンサ４０と報知手段８０は、警報器７０内に配置されている。
【００２９】
図２に示すように、コントローラー５０は、ガスコンロ２０およびレンジフード３０と無線通信可能に構成されている。無線通信としては、例えばＢｌｕｅｔｏｏｔｈ（登録商標）による通信や、赤外線による通信等を用いることができる。また、コントローラー５０は、センサ４０および報知手段８０と通信可能に構成されている。コントローラー５０は、ガスコンロ２０とセンサ４０から受信する情報に基づいてレンジフード３０の運転を制御する。
【００３０】
次に、換気システム１の風量について説明する。上記の構成を備えている換気システム１では、ガスコンロ２０を使用する場合に、ガスコンロ２０の動作状況に適したレンジフード３０の風量がある。そこで、ガスコンロ２０の動作状況に応じたレンジフード３０の風量が予め設定されている（以下、「ガスコンロ対応風量」という場合がある。）。具体的には、ガスコンロ２０のバーナー２１の火力に応じたレンジフード３０の風量が設定されている。ガスコンロ２０の「消火」、「弱」、「中」、「強」の各火力に応じて、レンジフード３０の風量が「０（停止）」、「弱」、「中」、「強」に設定されている。
【００３１】
ガスコンロ２０は、火力に応じた風量情報をコントローラー５０へ送信可能に構成されている。例えば、ガスコンロ２０は、火力が「中」である場合、それに応じたレンジフード３０の風量「中」をコントローラー５０へ送信する。また、ガスコンロ２０は、火力が「弱」または「強」に調節された場合、調節後の火力に応じたレンジフード３０の風量「弱」または風量「強」をコントローラー５０へ送信する。
【００３２】
また、上記の構成を備えている換気システム１では、レンジフード３０で室内９０の空気を換気する場合に、センサ４０が検知した室内９０の空気質に適したレンジフード３０の風量がある。そこで、センサ４０が検知した室内９０の空気質に応じたレンジフード３０の風量が予め設定されている（以下、「センサ対応風量」という場合がある。）。具体的には、室内９０の空気質に応じたレンジフード３０の風量が設定されている。例えば、「正常」、「やや悪い」、「悪い」、「とても悪い」の各空気質に対応して、レンジフード３０の風量が「０（停止）」、「弱」、「中」、「強」に設定されている。
【００３３】
センサ４０は、検知した室内９０の空気質に応じた風量情報をコントローラー５０へ送信可能に構成されている。例えば、センサ４０は、検知した室内９０の空気質が「悪い」に該当する場合、それに応じたレンジフード３０の風量「中」をコントローラー５０へ送信する。また、センサ４０は、室内９０の空気質が「やや悪い」または「とても悪い」に変化した場合、変化後の空気質に応じたレンジフード３０の風量「弱」または風量「強」をコントローラー５０へ送信する。
【００３４】
レンジフード３０は、リモコン６０から受信した風量情報をコントローラー５０へ送信可能に構成されている。例えば、レンジフード３０は、リモコン６０から受信した風量が「中」である場合、その風量「中」をコントローラー５０へ送信する。
【００３５】
コントローラー５０は、メモリ５２を備えている。メモリ５２は、各種の情報を記憶する。メモリ５２は、ガスコンロ２０の動作状況に応じたレンジフード３０の風量（ガスコンロ対応風量）と、センサ４０が検知した室内９０の空気質に応じたレンジフード３０の風量（センサ対応風量）を記憶することができる。また、メモリ５２は、レンジフード３０の現在の風量（以下、「レンジフード現在風量」という場合がある。）を記憶することができる。また、メモリ５２は、リモコン６０で設定されたレンジフード３０の風量（以下、「リモコン対応風量」という場合がある。）を記憶することができる。
【００３６】
（第１実施例）
次に、換気システムの動作について説明する。まず、第１実施例について説明する。図３に示すように、第１実施例の初期状態では、ガスコンロ２０のバーナー２１が点火しておらず、火力が「消火」であるとする。また、初期状態では、センサ４０が検知した室内９０の空気質が「正常」であるとする。また、初期状態では、レンジフード３０のファン３１が停止しており、風量が「０（停止）」であるとする。
【００３７】
また、初期状態では、メモリ５２が、ガスコンロ対応風量として、ガスコンロ２０の火力「消火」に応じたレンジフード３０の風量「０（停止）」を記憶している。また、メモリ５２は、センサ対応風量として、室内９０の空気質「正常」に応じたレンジフード３０の風量「０（停止）」を記憶している。また、メモリ５２は、レンジフード現在風量として、レンジフード３０の現在の風量「０（停止）」を記憶している。
【００３８】
初期状態からユーザーがガスコンロ２０のスイッチ２２を入れるとバーナー２１が点火する。また、ユーザーがガスコンロ２０の調節部２３を操作して火力「中」に調節したとする。そうすると、ガスコンロ２０が、ガスコンロ２０の火力「中」に応じたレンジフード３０の風量「中」（ガスコンロ対応風量）をコントローラー５０へ送信する（Ｓ１１）。
【００３９】
コントローラー５０は、ガスコンロ対応風量を受信する。コントローラー５０は、受信したガスコンロ対応風量（ガスコンロ２０の火力「中」に応じたレンジフード３０の風量「中」）をメモリ５２に格納する（Ｓ１２）。
【００４０】
初期状態からガスコンロ２０が点火した場合、コントローラー５０は、レンジフード３０の風量「中」の情報をレンジフード３０へ送信する（Ｓ１３）。レンジフード３０は、コントローラー５０から受信した情報に基づいて風量「中」で動作する。レンジフード３０は、風量「中」で室内９０の空気を換気する。また、コントローラー５０は、レンジフード３０の現在の風量「中」（レンジフード現在風量）をメモリ５２に格納する（Ｓ１４）。
【００４１】
その後、ガスコンロ２０の点火から時間が経過したときに、室内９０の空気質が「正常」から「やや悪い」に変化したとする。室内９０の空気質は、センサ４０によって継続的に検知されている。センサ４０は、室内９０の空気質が「やや悪い」に変化したことを検知する。また、センサ４０は、室内９０の空気質「やや悪い」に応じたレンジフード３０の風量「弱」（センサ対応風量）をコントローラー５０へ送信する（Ｓ１５）。
【００４２】
コントローラー５０は、センサ対応風量を受信する。コントローラー５０は、受信したセンサ対応風量（室内９０の空気質「やや悪い」に応じたレンジフード３０の風量「弱」）をメモリ５２に格納する（Ｓ１６）。
【００４３】
続いて、コントローラー５０は、メモリ５２に格納されているガスコンロ対応風量（Ｓ１２）とセンサ対応風量（Ｓ１６）を比較して、２つの風量のうち強い方の風量を採用する。ガスコンロ対応風量（Ｓ１２）とセンサ対応風量（Ｓ１６）を比較すると、ガスコンロ対応風量（Ｓ１２）の方が強いので、コントローラー５０は、ガスコンロ対応風量（Ｓ１２）を採用する。
【００４４】
続いて、コントローラー５０は、採用したガスコンロ対応風量（Ｓ１２）と、メモリ５２に格納されているレンジフード現在風量（Ｓ１４）を比較する。ここで、採用したガスコンロ対応風量がメモリ５２に格納されているレンジフード現在風量と異なる風量である場合は、コントローラー５０は、採用したガスコンロ対応風量をレンジフード３０へ送信する。一方、採用したガスコンロ対応風量がメモリ５２に格納されているレンジフード現在風量と同じ風量である場合は、コントローラー５０は、採用したガスコンロ対応風量をレンジフード３０へ送信しない。上記の場合では、採用したガスコンロ対応風量（Ｓ１２）がメモリ５２に格納されているレンジフード現在風量（Ｓ１４）と同じ風量なので、コントローラー５０は、採用したガスコンロ対応風量（Ｓ１２）をレンジフード３０へ送信しない。したがって、レンジフード３０の風量は変化せず、レンジフード３０は風量「中」で動作し続ける。
【００４５】
その後、更に時間が経過したときに、室内９０の空気質が「やや悪い」から「悪い」に変化したとする。上記と同様に、センサ４０は、室内９０の空気質が「悪い」に変化したことを検知する。センサ４０は、室内９０の空気質「悪い」に応じたレンジフード３０の風量「中」（センサ対応風量）をコントローラー５０へ送信する（Ｓ１７）。
【００４６】
コントローラー５０は、センサ対応風量を受信する。コントローラー５０は、受信したセンサ対応風量（室内９０の空気質「悪い」に応じたレンジフード３０の風量「中」）をメモリ５２に格納する（Ｓ１８）。
【００４７】
続いて、コントローラー５０は、メモリ５２に格納されているガスコンロ対応風量（Ｓ１２）とセンサ対応風量（Ｓ１８）を比較する。ガスコンロ対応風量（Ｓ１２）とセンサ対応風量（Ｓ１８）が同じ風量である場合は、コントローラー５０は、いずれか一方の風量を採用する。例えば、コントローラー５０は、ガスコンロ対応風量（Ｓ１２）を採用する。
【００４８】
続いて、コントローラー５０は、採用したガスコンロ対応風量（Ｓ１２）と、メモリ５２に格納されているレンジフード現在風量（Ｓ１４）を比較する。両風量が同じ風量なので、コントローラー５０は、採用したガスコンロ対応風量（Ｓ１２）をレンジフード３０へ送信しない。したがって、レンジフード３０の風量は変化せず、レンジフード３０は風量「中」で動作し続ける。
【００４９】
その後、更に時間が経過したときに、室内９０の空気質が「悪い」から「とても悪い」に変化したとする。センサ４０は、室内９０の空気質が「とても悪い」に変化したことを検知する。センサ４０は、室内９０の空気質「とても悪い」に応じたレンジフード３０の風量「強」（センサ対応風量）をコントローラー５０へ送信する（Ｓ１９）。
【００５０】
コントローラー５０は、センサ対応風量を受信する。コントローラー５０は、受信したセンサ対応風量（室内９０の空気質「とても悪い」に応じたレンジフード３０の風量「強」）をメモリ５２に格納する（Ｓ２０）。
【００５１】
続いて、コントローラー５０は、メモリ５２に格納されているガスコンロ対応風量（Ｓ１２）とセンサ対応風量（Ｓ２０）を比較する。センサ対応風量（Ｓ２０）がガスコンロ対応風量（Ｓ１２）より強いので、コントローラー５０は、センサ対応風量（Ｓ２０）を採用する。
【００５２】
続いて、コントローラー５０は、採用したセンサ対応風量（Ｓ２０）と、メモリ５２に格納されているレンジフード現在風量（Ｓ１４）を比較する。両風量が異なる風量なので、コントローラー５０は、採用したセンサ対応風量（Ｓ２０）をレンジフード３０へ送信する（Ｓ２１）。レンジフード３０は、コントローラー５０から受信したセンサ対応風量（室内９０の空気質「とても悪い」に応じたレンジフード３０の風量「強」）に基づいて風量「強」で動作する。レンジフード３０は、風量「強」で室内９０の空気を換気する。コントローラー５０は、レンジフード３０の現在の風量「強」（レンジフード現在風量）をメモリ５２に格納する（Ｓ２２）。
【００５３】
その後、更に時間が経過したときに、ユーザーがガスコンロ２０の火力を「中」から「強」に調節したとする。そうすると、ガスコンロ２０が、ガスコンロ２０の火力「強」に応じたレンジフード３０の風量「強」（ガスコンロ対応風量）をコントローラー５０へ送信する（Ｓ２３）。
【００５４】
コントローラー５０は、ガスコンロ対応風量を受信する。コントローラー５０は、受信したガスコンロ対応風量（ガスコンロ２０の火力「強」に応じたレンジフード３０の風量「強」）をメモリ５２に格納する（Ｓ２４）。
【００５５】
続いて、コントローラー５０は、メモリ５２に格納されているガスコンロ対応風量（Ｓ２４）とセンサ対応風量（Ｓ２０）を比較する。両風量が同じ風量なので、コントローラー５０は、いずれか一方の風量（例えば、ガスコンロ対応風量（Ｓ２４））を採用する。
【００５６】
続いて、コントローラー５０は、採用したガスコンロ対応風量（Ｓ２４）と、メモリ５２に格納されているレンジフード現在風量（Ｓ２２）を比較する。両風量が同じ風量なので、コントローラー５０は、採用したガスコンロ対応風量（Ｓ２４）をレンジフード３０へ送信しない。したがって、レンジフード３０の風量は変化せず、レンジフード３０は風量「強」で動作し続ける。
【００５７】
その後、更に時間が経過したときに、室内９０の空気質が「とても悪い」から「悪い」状態に変化したとする。例えば、レンジフード３０が室内９０の空気を換気したことによって室内９０の空気質が改善したとする。センサ４０は、室内９０の空気質が「悪い」に変化したことを検知する。センサ４０は、室内９０の空気質「悪い」に応じたレンジフード３０の風量「中」（センサ対応風量）をコントローラー５０へ送信する（Ｓ２５）。
【００５８】
コントローラー５０は、センサ対応風量を受信する。コントローラー５０は、受信したセンサ対応風量（室内９０の空気質「悪い」に応じたレンジフード３０の風量「中」）をメモリ５２に格納する（Ｓ２６）。
【００５９】
続いて、コントローラー５０は、メモリ５２に格納されているガスコンロ対応風量（Ｓ２４）とセンサ対応風量（Ｓ２６）を比較する。ガスコンロ対応風量（Ｓ２４）がセンサ対応風量（Ｓ２６）より強いので、コントローラー５０は、ガスコンロ対応風量（Ｓ２４）を採用する。
【００６０】
続いて、コントローラー５０は、採用したガスコンロ対応風量（Ｓ２４）と、メモリ５２に格納されているレンジフード現在風量（Ｓ２２）を比較する。両風量が同じ風量なので、コントローラー５０は、採用したガスコンロ対応風量（Ｓ２４）をレンジフード３０へ送信しない。したがって、レンジフード３０の風量は変化せず、レンジフード３０は風量「強」で動作し続ける。
【００６１】
その後、更に時間が経過したときに、ユーザーがガスコンロ２０の火力を「強」から「弱」に調節したとする。そうすると、ガスコンロ２０が、ガスコンロ２０の火力「弱」に応じたレンジフード３０の風量「弱」（ガスコンロ対応風量）をコントローラー５０へ送信する（Ｓ２７）。
【００６２】
コントローラー５０は、ガスコンロ対応風量を受信する。コントローラー５０は、受信したガスコンロ対応風量（ガスコンロ２０の火力「弱」に応じたレンジフード３０の風量「弱」）をメモリ５２に格納する（Ｓ２８）。
【００６３】
続いて、コントローラー５０は、メモリ５２に格納されているガスコンロ対応風量（Ｓ２８）とセンサ対応風量（Ｓ２６）を比較する。センサ対応風量（Ｓ２６）がガスコンロ対応風量（Ｓ２８）より強いので、コントローラー５０は、センサ対応風量（Ｓ２６）を採用する。
【００６４】
続いて、コントローラー５０は、採用したセンサ対応風量（Ｓ２６）と、メモリ５２に格納されているレンジフード現在風量（Ｓ２２）を比較する。両風量が異なる風量なので、コントローラー５０は、採用したセンサ対応風量（Ｓ２６）をレンジフード３０へ送信する（Ｓ２９）。レンジフード３０は、コントローラー５０から受信したセンサ対応風量（室内９０の空気質「悪い」に応じたレンジフード３０の風量「中」）に基づいて風量「中」で動作する。レンジフード３０は、風量「中」で室内９０の空気を換気する。コントローラー５０は、レンジフード３０の現在の風量「中」（レンジフード現在風量）をメモリ５２に格納する（Ｓ３０）。
【００６５】
その後、更に時間が経過したときに、室内９０の空気質が「悪い」から「やや悪い」に変化したとする。センサ４０は、室内９０の空気質が「やや悪い」に変化したことを検知する。センサ４０は、室内９０の空気質「やや悪い」に応じたレンジフード３０の風量「弱」（センサ対応風量）をコントローラー５０へ送信する（Ｓ３１）。
【００６６】
コントローラー５０は、センサ対応風量を受信する。コントローラー５０は、受信したセンサ対応風量（室内９０の空気質「やや悪い」に応じたレンジフード３０の風量「弱」）をメモリ５２に格納する（Ｓ３２）。
【００６７】
続いて、コントローラー５０は、メモリ５２に格納されているガスコンロ対応風量（Ｓ２８）とセンサ対応風量（Ｓ３２）を比較する。両風量が同じ風量なので、コントローラー５０は、いずれか一方の風量（例えば、ガスコンロ対応風量（Ｓ２８））を採用する。
【００６８】
続いて、コントローラー５０は、採用したガスコンロ対応風量（Ｓ２８）と、メモリ５２に格納されているレンジフード現在風量（Ｓ３０）を比較する。両風量が異なる風量なので、コントローラー５０は、採用したガスコンロ対応風量（Ｓ２８）をレンジフード３０へ送信する（Ｓ３３）。レンジフード３０は、コントローラー５０から受信したガスコンロ対応風量（ガスコンロ２０の火力「弱」に応じたレンジフード３０の風量「弱」）に基づいて風量「弱」で動作する。レンジフード３０は、風量「弱」で室内９０の空気を換気する。コントローラー５０は、レンジフード３０の現在の風量「弱」（レンジフード現在風量）をメモリ５２に格納する（Ｓ３４）。
【００６９】
その後、更に時間が経過したときに、室内９０の空気質が「やや悪い」から「正常」に変化したとする。センサ４０は、室内９０の空気質が「正常」に変化したことを検知する。センサ４０は、室内９０の空気質「正常」に応じたレンジフード３０の風量「０（停止）」（センサ対応風量）をコントローラー５０へ送信する（Ｓ３５）。
【００７０】
コントローラー５０は、センサ対応風量を受信する。コントローラー５０は、受信したセンサ対応風量（室内９０の空気質「正常」に応じたレンジフード３０の風量「０（停止）」）をメモリ５２に格納する（Ｓ３６）。
【００７１】
続いて、コントローラー５０は、メモリ５２に格納されているガスコンロ対応風量（Ｓ２８）とセンサ対応風量（Ｓ３６）を比較する。ガスコンロ対応風量（Ｓ２８）がセンサ対応風量（Ｓ３６）より強いので、コントローラー５０は、ガスコンロ対応風量（Ｓ２８）を採用する。
【００７２】
続いて、コントローラー５０は、採用したガスコンロ対応風量（Ｓ２８）と、メモリ５２に格納されているレンジフード現在風量（Ｓ３４）を比較する。両風量が同じ風量なので、コントローラー５０は、採用したガスコンロ対応風量（Ｓ２８）をレンジフード３０へ送信しない。したがって、レンジフード３０の風量は変化せず、レンジフード３０は風量「弱」で動作し続ける。
【００７３】
その後、更に時間が経過したときに、ユーザーがガスコンロ２０の火力を「弱」から「消火」に調節したとする。そうすると、ガスコンロ２０が、ガスコンロ２０の火力「消火」に応じたレンジフード３０の風量「０（停止）」（ガスコンロ対応風量）をコントローラー５０へ送信する（Ｓ３７）。
【００７４】
コントローラー５０は、ガスコンロ対応風量を受信する。コントローラー５０は、受信したガスコンロ対応風量（ガスコンロ２０の火力「消火」に応じたレンジフード３０の風量「０（停止）」）をメモリ５２に格納する（Ｓ３８）。
【００７５】
続いて、コントローラー５０は、メモリ５２に格納されているガスコンロ対応風量（Ｓ３８）とセンサ対応風量（Ｓ３６）を比較する。両風量が同じ風量なので、コントローラー５０は、いずれか一方の風量（例えば、ガスコンロ対応風量（Ｓ３８））を採用する。
【００７６】
続いて、コントローラー５０は、採用したガスコンロ対応風量（Ｓ３８）と、メモリ５２に格納されているレンジフード現在風量（Ｓ３４）を比較する。両風量が異なる風量なので、コントローラー５０は、採用したガスコンロ対応風量（Ｓ３８）をレンジフード３０へ送信する（Ｓ３９）。レンジフード３０は、コントローラー５０から受信したガスコンロ対応風量（ガスコンロ２０の火力「消火」に応じたレンジフード３０の風量「０（停止）」）に基づいて停止する。レンジフード３０が停止するときは、タイマー機能によって所定の時間にわたって動作した後に停止する。また、コントローラー５０は、レンジフード３０の現在の風量「０（停止）」（レンジフード現在風量）をメモリ５２に格納する（Ｓ４０）。以上のようにして、換気システム１によって室内９０の空気を換気することができる。
【００７７】
以上、第１実施例に係る換気システムの構成と動作について説明した。上記の換気システム１は、室内９０に配置されているガスコンロ２０（調理器の一例）と、ガスコンロ２０の上方に配置されており、室内９０の空気を換気するレンジフード３０（換気手段の一例）と、室内９０に配置されており、ガスコンロ２０から離れた位置で室内９０の空気質を検知するセンサ４０（検知手段の一例）と、コントローラー５０（制御手段の一例）を備えている。コントローラー５０は、ガスコンロ２０のバーナー２１の火力とセンサ４０が検知した室内９０の空気質に基づいてレンジフード３０の風量を制御している。すなわち、コントローラー５０は、ガスコンロ２０の動作状況とセンサ４０が検知した空気質に基づいてレンジフード３０の運転を制御している。
【００７８】
このような構成によれば、コントローラー５０がガスコンロ２０の動作状況に基づいてレンジフード３０の運転を制御するので、ガスコンロ２０の動作状況に応じて室内９０の空気を換気することができる。例えば、ガスコンロ２０の火力が強い場合は、レンジフード３０の風量が強い状態で換気することができる。また、ガスコンロ２０の火力が弱い場合は、レンジフード３０の風量が弱い状態で換気することができる。また、センサ４０が検知した室内９０の空気質に基づいてコントローラー５０がレンジフード３０の運転を制御するので、ガスコンロ２０の動作にかかわらず、室内９０の空気質に基づいて換気することができる。例えば、ガスコンロ２０の火力が弱い場合であっても、室内９０の空気質がとても悪い場合は、レンジフード３０の風量が強い状態で換気することができる。また、ガスコンロ２０が動作していない場合であっても、室内９０の空気質が悪い場合は、それに応じたレンジフード３０の風量で室内９０の空気を換気することができる。よって、上記の換気システム１によれば、様々な状況に応じて室内の空気を換気することができる。
【００７９】
また、上記の換気システム１では、レンジフード３０が、ガスコンロ２０の動作状況に応じた風量（ガスコンロ対応風量）またはセンサ４０が検知した空気質に応じた風量（センサ対応風量）で室内９０の空気を換気可能に構成されている。また、コントローラー５０が、室内９０の空気が前記２つの風量（ガスコンロ対応風量とセンサ対応風量）のうち強い方の風量で換気されるようにレンジフード３０の運転を制御する。
【００８０】
このような構成によれば、ガスコンロ対応風量とセンサ対応風量のうち強い方の風量で室内９０の空気が換気されるので、室内９０の空気を確実に換気することができる。例えば、ガスコンロ対応風量が「強」であり、センサ対応風量が「弱」である場合には、ガスコンロ対応風量を採用することによって、ガスコンロ２０の火力に応じて室内９０の空気を確実に換気することができる。一方、ガスコンロ対応風量が「弱」であり、センサ対応風量が「強」である場合には、センサ対応風量を採用することによって、センサ４０が検知した空気質に応じて室内９０の空気を確実に換気することができる。
【００８１】
また、上記の換気システム１では、コントローラー５０とセンサ４０がガスコンロ２０から離れた同じ位置、具体的には、キッチン領域９１に配置された警報器７０の内部に配置されている。
【００８２】
コントローラー５０とセンサ４０は繊細な部品であり、熱、水分および油分等の影響を受けやすいが、上記の構成によれば、コントローラー５０とセンサ４０がガスコンロ２０から離れているので、繊細な部品を熱、水分および油分等から保護することができる。更に、警報器７０は、ユーザーが直接操作を行うものではないため、ユーザーによる故障を起こすことが少ない。また、コントローラー５０とセンサ４０を同じ位置で取り扱うことができるので、部品の修理や交換を容易に行うことができる。
【００８３】
以上、一実施例について説明したが、具体的な態様は上記実施例に限定されるものではない。以下の説明において、上述の説明における構成と同様の構成については同一の符号を付して説明を省略する。
【００８４】
（第２実施例）
次に第２実施例について説明する。図４に示すように、第２実施例の初期状態は第１実施例の初期状態と同じである。第２実施例では、初期状態から時間が経過したときに、室内９０の空気質が「正常」から「やや悪い」に変化したとする。センサ４０は、室内９０の空気質が「やや悪い」に変化したことを検知する。センサ４０は、室内９０の空気質「やや悪い」に応じたレンジフード３０の風量「弱」（センサ対応風量）コントローラー５０へ送信する（Ｓ８１）。
【００８５】
コントローラー５０は、センサ対応風量を受信する。コントローラー５０は、受信したセンサ対応風量（室内９０の空気質「やや悪い」に応じたレンジフード３０の風量「弱」）をメモリ５２に格納する（Ｓ８２）。
【００８６】
続いて、コントローラー５０は、メモリ５２に格納されているガスコンロ対応風量（０（停止））とセンサ対応風量（Ｓ８２（弱））を比較する。センサ対応風量（Ｓ８２（弱））がガスコンロ対応風量（０（停止））より強いので、コントローラー５０は、センサ対応風量（Ｓ８２）を採用する。
【００８７】
続いて、コントローラー５０は、採用したセンサ対応風量（Ｓ８２（弱））と、メモリ５２に格納されているレンジフード現在風量（０（停止））を比較する。両風量が異なる風量なので、コントローラー５０は、採用したセンサ対応風量（Ｓ８２）をレンジフード３０へ送信する（Ｓ８３）。レンジフード３０は、コントローラー５０から受信したセンサ対応風量（室内９０の空気質「やや悪い」に応じたレンジフード３０の風量「弱」）に基づいて風量「弱」で動作する。レンジフード３０は、風量「弱」で室内９０の空気を換気する。コントローラー５０は、レンジフード３０の現在の風量「弱」（レンジフード現在風量）をメモリ５２に格納する（Ｓ８４）。
【００８８】
その後、更に時間が経過したときに、室内９０の空気質が「やや悪い」から「悪い」に変化したとする。そうすると、上記と同様の動作によって、レンジフード３０が、センサ対応風量（室内９０の空気質「悪い」に応じたレンジフード３０の風量「中」）に基づいて風量「中」で動作する。
【００８９】
その後、更に時間が経過したときに、室内９０の空気質が「悪い」から「とても悪い」に変化したとすると、上記と同様の動作によって、レンジフード３０が、センサ対応風量（室内９０の空気質「とても悪い」に応じたレンジフード３０の風量「強」）に基づいて風量「強」で動作する。
【００９０】
その後、更に時間が経過したときに、ユーザーがリモコン６０でレンジフード３０の風量を「中」に設定したとする。そうすると、リモコン６０が、設定されたレンジフード３０の風量「中」（リモコン対応風量）をレンジフード３０へ送信する（Ｓ８５）。レンジフード３０は、リモコン６０から受信したリモコン対応風量（リモコン６０で設定されたレンジフード３０の風量「中」）に基づいて風量「中」で動作する。レンジフード３０は、風量「中」で室内９０の空気を換気する。
【００９１】
続いて、レンジフード３０は、受信したリモコン対応風量（リモコン６０で設定されたレンジフード３０の風量「中」）をコントローラー５０へ送信する（Ｓ８６）。
【００９２】
コントローラー５０は、リモコン対応風量を受信する。コントローラー５０は、受信したリモコン対応風量（リモコン６０で設定されたレンジフード３０の風量「中」）をメモリ５２に格納する（Ｓ８７）。また、コントローラー５０は、レンジフード３０の現在の風量「中」（レンジフード現在風量）をメモリ５２に格納する（Ｓ８８）。
【００９３】
その後、更に時間が経過したときに、室内９０の空気質が「とても悪い」から「悪い」に変化したとする。センサ４０は、室内９０の空気質が「悪い」に変化したことを検知する。センサ４０は、室内９０の空気質「悪い」に応じたレンジフード３０の風量「中」（センサ対応風量）をコントローラー５０へ送信する（Ｓ８９）。
【００９４】
コントローラー５０は、センサ対応風量を受信する。コントローラー５０は、受信したセンサ対応風量（室内９０の空気質「悪い」に応じたレンジフード３０の風量「中」）をメモリ５２に格納する（Ｓ９０）。
【００９５】
続いて、コントローラー５０は、メモリ５２に何らかのリモコン対応風量が格納されているか否かを判断する。ここで、メモリ５２にリモコン対応風量が何ら格納されていない場合は、コントローラー５０は、メモリ５２に格納されているガスコンロ対応風量とセンサ対応風量を比較して、２つの風量のうち強い方の風量を採用する。一方、メモリ５２に何らかのリモコン対応風量が格納されている場合は、コントローラー５０は、センサ対応風量を採用しない。上記の場合では、メモリ５２にリモコン対応風量（Ｓ８７）が格納されているので、コントローラー５０は、センサ対応風量（Ｓ９０）を採用しない。レンジフード３０の風量はリモコン対応風量（リモコン６０で設定されたレンジフード３０の風量「中」）から変化せず、レンジフード３０は風量「中」で動作し続ける。
【００９６】
その後、更に時間が経過したときに、室内９０の空気質が「悪い」から「やや悪い」に変化したとする。そうすると、上記と同様の動作によって、レンジフード３０の風量がリモコン対応風量（リモコン６０で設定されたレンジフード３０の風量「中」）から変化せず、レンジフード３０は風量「中」で動作し続ける。
【００９７】
その後、更に時間が経過したときに、室内９０の空気質が更に変化したとしても、上記と同様の動作によって、レンジフード３０の風量がリモコン対応風量（リモコン６０で設定されたレンジフード３０の風量「中」）から変化せず、レンジフード３０は風量「中」で動作し続ける。
【００９８】
その後、更に時間が経過したときに、ユーザーがリモコン６０でレンジフード３０の風量を「中」から「０（停止）」に設定したとする。そうすると、リモコン６０が、設定されたレンジフード３０の風量「０（停止）」（リモコン対応風量）をレンジフード３０へ送信する（Ｓ９１）。レンジフード３０は、リモコン６０から受信したリモコン対応風量（リモコン６０で設定されたレンジフード３０の風量「０（停止）」）に基づいて停止する。レンジフード３０が停止するときは、タイマー機能によって所定の時間にわたって動作した後に停止する。
【００９９】
続いて、レンジフード３０は、受信したリモコン対応風量（リモコン６０で設定されたレンジフード３０の風量「０（停止）」）をコントローラー５０へ送信する（Ｓ９２）。
【０１００】
コントローラー５０は、リモコン対応風量を受信する。コントローラー５０は、受信したリモコン対応風量（リモコン６０で設定されたレンジフード３０の風量「０（停止）」）をメモリ５２に格納する（Ｓ９３）。また、コントローラー５０は、レンジフード３０の現在の風量「０（停止）」（レンジフード現在風量）をメモリ５２に格納する（Ｓ９４）。以上のようにして、換気システム１によって室内９０の空気を換気することができる。
【０１０１】
以上、第２実施例に係る換気システムの構成と動作について説明した。上記の換気システム１は、ユーザーが風量を設定するためのリモコン６０（設定手段の一例）を備えている。また、リモコン６０で風量が設定された場合に、リモコン６０で設定された風量で室内９０の空気が換気されるようにレンジフード３０が動作する。
【０１０２】
このような構成によれば、ユーザーが設定した風量で室内９０の空気が換気されるので、室内９０の空気の換気状態をユーザーの好みに適した状態にすることができる。
【０１０３】
また、上記の換気システム１では、リモコン６０で風量が設定された場合に、センサ４０が検知した空気質にかかわらず、リモコン６０で設定された風量で室内９０の空気が換気されるようにレンジフード３０が動作する。
【０１０４】
ユーザーによってリモコン６０で設定された風量は、ユーザーの意思に基づいた風量である。一方、センサ４０が検知した室内９０の空気質は、ユーザーの意思にかかわらずに変化する。上記の構成によれば、ユーザーの意思に基づいた風量（リモコン６０で設定された風量）で室内９０の空気が換気される。ユーザーの意思にかかわらずにレンジフード３０の風量が変化することがないので、レンジフード３０の風量が変化したときに風量変化の要因をユーザーが正確に認識することができる。
【０１０５】
（第３実施例）
次に第３実施例について説明する。図５に示すように、第３実施例のＳ３０までの動作は、上記の第１実施例のＳ３０までの動作と同じである。したがって、第３実施例のＳ３０までの動作の説明を省略する。
【０１０６】
Ｓ３０の動作が終了した状態では、ガスコンロ２０の火力が「弱」である。また、センサ４０が検知した室内９０の空気質が「悪い」である。また、レンジフード３０の現在の風量が「中」である。
【０１０７】
その後、Ｓ３０の動作が終了してから時間が経過したときに、ユーザーがリモコン６０でレンジフード３０の風量を「強」に設定したとする。そうすると、リモコン６０が、設定されたレンジフード３０の風量「強」（リモコン対応風量）をレンジフード３０へ送信する（Ｓ５１）。レンジフード３０は、リモコン６０から受信したリモコン対応風量（リモコン６０で設定されたレンジフード３０の風量「強」）に基づいて風量「強」で動作する。レンジフード３０は、風量「強」で室内９０の空気を換気する。
【０１０８】
続いて、レンジフード３０は、受信したリモコン対応風量（リモコン６０で設定されたレンジフード３０の風量「強」）をコントローラー５０へ送信する（Ｓ５２）。
【０１０９】
コントローラー５０は、リモコン対応風量を受信する。コントローラー５０は、受信したリモコン対応風量（リモコン６０で設定されたレンジフード３０の風量「強」）をメモリ５２に格納する（Ｓ５３）。また、コントローラー５０は、レンジフード３０の現在の風量「強」（レンジフード現在風量）をメモリ５２に格納する（Ｓ５４）。
【０１１０】
その後、更に時間が経過したときに、ユーザーがリモコン６０でレンジフード３０の風量を「強」から「弱」に設定したとする。そうすると、リモコン６０が、設定されたレンジフード３０の風量「弱」（リモコン対応風量）をレンジフード３０へ送信する（Ｓ５５）。レンジフード３０は、リモコン６０から受信したリモコン対応風量（リモコン６０で設定されたレンジフード３０の風量「弱」）に基づいて風量「弱」で動作する。レンジフード３０は、風量「弱」で室内９０の空気を換気する。
【０１１１】
続いて、レンジフード３０は、受信したリモコン対応風量（リモコン６０で設定されたレンジフード３０の風量「弱」）をコントローラー５０へ送信する（Ｓ５６）。
【０１１２】
コントローラー５０は、リモコン対応風量を受信する。コントローラー５０は、受信したリモコン対応風量（リモコン６０で設定されたレンジフード３０の風量「弱」）をメモリ５２に格納する（Ｓ５７）。また、コントローラー５０は、レンジフード３０の現在の風量「弱」（レンジフード現在風量）をメモリ５２に格納する（Ｓ５８）。
【０１１３】
その後、更に時間が経過したときに、室内９０の空気質が「悪い」から「とても悪い」に変化したとする。センサ４０は、室内９０の空気質が「とても悪い」に変化したことを検知する。センサ４０は、室内９０の空気質「とても悪い」に応じたレンジフード３０の風量「強」（センサ対応風量）をコントローラー５０へ送信する（Ｓ５９）。
【０１１４】
コントローラー５０は、センサ対応風量を受信する。コントローラー５０は、受信したセンサ対応風量（室内９０の空気質「とても悪い」に応じたレンジフード３０の風量「強」）をメモリ５２に格納する（Ｓ６０）。
【０１１５】
続いて、コントローラー５０は、メモリ５２に何らかのリモコン対応風量が格納されているか否かを判断する。ここで、メモリ５２にリモコン対応風量が何ら格納されていない場合は、コントローラー５０は、メモリ５２に格納されているガスコンロ対応風量とセンサ対応風量を比較して、２つの風量のうち強い方の風量を採用する。一方、メモリ５２に何らかのリモコン対応風量が格納されている場合は、コントローラー５０は、センサ対応風量を採用しない。上記の場合では、メモリ５２にリモコン対応風量（Ｓ５７）が格納されているので、コントローラー５０は、センサ対応風量（Ｓ６０）を採用しない。したがって、レンジフード３０の風量は変化せず、レンジフード３０は風量「弱」で動作し続ける。
【０１１６】
その後、更に時間が経過したときに、ユーザーがガスコンロ２０の火力を「弱」から「中」に調節したとする。そうすると、ガスコンロ２０が、ガスコンロ２０の火力「中」に応じたレンジフード３０の風量「中」（ガスコンロ対応風量）をコントローラー５０へ送信する（Ｓ６１）。
【０１１７】
コントローラー５０は、ガスコンロ対応風量を受信する。コントローラー５０は、受信したガスコンロ対応風量（ガスコンロ２０の火力「中」に応じたレンジフード３０の風量「中」）をメモリ５２に格納する（Ｓ６２）。
【０１１８】
続いて、コントローラー５０は、メモリ５２に何らかのリモコン対応風量が格納されているか否かを判断する。ここで、メモリ５２にリモコン対応風量が何ら格納されていない場合は、コントローラー５０は、メモリ５２に格納されているガスコンロ対応風量とセンサ対応風量を比較して、２つの風量のうち強い方の風量を採用する。一方、メモリ５２に何らかのリモコン対応風量が格納されている場合は、コントローラー５０は、ガスコンロ対応風量を採用する。上記の場合では、メモリ５２にはリモコン対応風量（Ｓ５７）が格納されている。したがって、コントローラー５０は、メモリ５２に格納されているガスコンロ対応風量（Ｓ６２）を採用する。
【０１１９】
続いて、コントローラー５０は、採用したガスコンロ対応風量（Ｓ６２）と、メモリ５２に格納されているレンジフード現在風量（Ｓ５８）を比較する。両風量が異なる風量なので、コントローラー５０は、採用したガスコンロ対応風量（Ｓ６２）をレンジフード３０へ送信する（Ｓ６３）。レンジフード３０は、コントローラー５０から受信したガスコンロ対応風量（ガスコンロ２０の火力「中」に応じたレンジフード３０の風量「中」）に基づいて風量「中」で動作する。レンジフード３０は、風量「中」で室内９０の空気を換気する。コントローラー５０は、レンジフード３０の現在の風量「中」（レンジフード現在風量）をメモリ５２に格納する（Ｓ６４）。
【０１２０】
その後、更に時間が経過したときに、室内９０の空気質が「とても悪い」から「やや悪い」に変化したとする。センサ４０は、室内９０の空気質が「やや悪い」に変化したことを検知する。センサ４０は、室内９０の空気質「やや悪い」に応じたレンジフード３０の風量「弱」（センサ対応風量）コントローラー５０へ送信する（Ｓ６５）。
【０１２１】
コントローラー５０は、センサ対応風量を受信する。コントローラー５０は、受信したセンサ対応風量（室内９０の空気質「やや悪い」に応じたレンジフード３０の風量「弱」）をメモリ５２に格納する（Ｓ６６）。
【０１２２】
続いて、コントローラー５０は、メモリ５２に何らかのリモコン対応風量が格納されているか否かを判断する。メモリ５２にはリモコン対応風量（Ｓ５７）が格納されている。したがって、コントローラー５０は、センサ対応風量（Ｓ６６）を採用しない。したがって、レンジフード３０の風量は変化せず、レンジフード３０は風量「中」で動作し続ける。
【０１２３】
その後、更に時間が経過したときに、ユーザーがガスコンロ２０の火力を「中」から「消火」に調節したとする。そうすると、ガスコンロ２０が、ガスコンロ２０の火力「消火」に応じたレンジフード３０の風量「０（停止）」（ガスコンロ対応風量）をコントローラー５０へ送信する（Ｓ６７）。
【０１２４】
コントローラー５０は、ガスコンロ対応風量を受信する。コントローラー５０は、受信したガスコンロ対応風量（ガスコンロ２０の火力「消火」に応じたレンジフード３０の風量「０（停止）」）をメモリ５２に格納する（Ｓ６８）。
【０１２５】
続いて、コントローラー５０は、メモリ５２に何らかのリモコン対応風量が格納されているか否かを判断する。メモリ５２にはリモコン対応風量（Ｓ５７）が格納されている。したがって、コントローラー５０は、メモリ５２に格納されているガスコンロ対応風量（Ｓ６８）を採用する。
【０１２６】
続いて、コントローラー５０は、採用したガスコンロ対応風量（Ｓ６８）と、メモリ５２に格納されているレンジフード現在風量（Ｓ６４）を比較する。両風量が異なる風量なので、コントローラー５０は、採用したガスコンロ対応風量（Ｓ６８）をレンジフード３０へ送信する（Ｓ６９）。レンジフード３０は、コントローラー５０から受信したガスコンロ対応風量（ガスコンロ２０の火力「消火」に応じたレンジフード３０の風量「０（停止）」）に基づいて停止する。レンジフード３０が停止するときは、タイマー機能によって所定の時間にわたって動作した後に停止する。また、コントローラー５０は、レンジフード３０の現在の風量「０（停止）」（レンジフード現在風量）をメモリ５２に格納する（Ｓ７０）。以上のようにして、換気システム１によって室内９０の空気を換気することができる。
【０１２７】
以上、第３実施例に係る換気システムの構成と動作について説明した。上記の換気システム１では、リモコン６０で風量が設定された場合に、センサ４０が検知した空気質にかかわらず、リモコン６０で設定された風量またはガスコンロ２０の動作状況（バーナー２１の火力）に応じた風量で室内９０の空気が換気されるようにレンジフード３０が動作する。
【０１２８】
リモコン６０で設定された風量は、ユーザーの意思に基づいて設定された風量である。また、ガスコンロ２０の動作状況（バーナー２１の火力）はユーザーの意思に基づいて調節されるので、その動作状況に応じた風量はユーザーの意思に基づいて調節された風量であり、また、火力に応じて必要とされる換気量を得るための風量といえる。一方、センサ４０が検知した空気質は、ユーザーの意思にかかわらず変化する。上記の構成によれば、ユーザーの意思に基づく風量（リモコン６０で設定された風量またはガスコンロ２０の動作状況に応じた風量）で室内９０の空気が換気される。したがって、ユーザーの意思にかかわらずにレンジフード３０の風量が変化することがないので、レンジフード３０の風量が変化したときに風量変化の要因をユーザーが正確に認識することができる。そのため、レンジフード３０の風量が変化したときに、風量変化の要因をユーザーが勘違いすることを防ぐことができる。例えば、風量変化の要因が換気システム１の故障であるとユーザーが勘違いすることを防ぐことができる。
【０１２９】
（その他の実施例）
上記の実施例では、風量を設定するための設定手段の一例としてリモコン６０を用いていたが、この構成に限定されるものではない。他の実施例では、レンジフード３０が、風量を設定するための設定部（設定手段の他の一例）を備えていてもよい（図示省略）。ユーザーがレンジフード３０の設定部を操作することによって、レンジフード３０の風量を「０（停止）」、「弱」、「中」、「強」の４段階で設定することができる。
【０１３０】
また、上記の実施例では、調理器の一例としてガスコンロ２０を用いていたが、この構成に限定されるものではない。他の実施例では、調理器として炊飯器、電気コンロやオーブン、電磁誘導加熱調理器具（ＩＨ調理器）等を用いてもよい。
【０１３１】
また、他の実施例では、センサ４０が室内９０の空気質の異常を検知した場合に、コントローラー５０が報知手段８０の運転を制御してもよい。例えば、異常に高い温度、異常に高い湿度、異常に悪い臭気、または異常な燃焼排ガスや未燃ガスの濃度等をセンサ４０が検知した場合には、報知手段８０が室内９０の空気質の異常を周囲に知らせてもよい。
【０１３２】
また、他の実施例では、コントローラー５０が、センサ４０が室内９０の空気質の異常を検知した場合に、ガスコンロ２０の動作が停止するようにガスコンロ２０の運転を制御してもよい。例えば、異常に高い温度、異常に高い湿度、異常に悪い臭気、または異常な燃焼排ガスや未燃ガスの濃度等をセンサ４０が検知した場合には、コントローラー５０が、ガスコンロ２０のバーナー２１が消火するようにガスコンロ２０の運転を制御してもよい。
【０１３３】
このような構成によれば、センサ４０が異常を検知した場合に、ガスコンロ２０が所定の動作をするようにガスコンロ２０の運転をコントローラー５０が制御するので、レンジフード３０の運転を制御しなくても室内９０の空気質の異常を緩和することができる。
【０１３４】
なお、本明細書で記載した実施例中では、ガスコンロ２０やセンサ４０からコントローラー５０へ送られる情報は、それぞれガスコンロ２０の火力に応じたレンジフード３０の風量、空気質に応じたレンジフード３０の風量としたが、予めガスコンロ２０やセンサ４０で風量に換算せずに、ガスコンロ２０の火力情報、空気質の状態情報をそれぞれがコントローラー５０にそのまま送信し、受信したコントローラー５０側で風量に換算した後に各種判断を行う構成としても良いものである。
【０１３５】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【０１３６】
１        ：換気システム
９        ：室
２０      ：ガスコンロ
２１      ：バーナー
２２      ：スイッチ
２３      ：調節部
３０      ：レンジフード
３１      ：ファン
３２      ：カバー
４０      ：センサ
５０      ：コントローラー
５２      ：メモリ
６０      ：リモコン
７０      ：警報器
８０      ：報知手段
９０      ：室内
９１      ：キッチン領域
９２      ：ダイニング領域
【図１】
2017067389.tif 000003
【図２】
2017067389.tif 000004
【図３】
2017067389.tif 000005
【図４】
2017067389.tif 000006
【図５】
2017067389.tif 000007